(57)【要約】【課題】保温性を有し、軽くて取扱性に優れ、低価格で提供される布体を用い、低コストで、簡単に製造でき、使い勝手が良く、取扱い性にも優れていて、寝ている人の首周りの保温に適した掛寝具。【解決手段】一端から他端に向かって長手方向に延びる長尺の保温性を有する布体の前記一端側に一段目のみからなる布体単層部が形成されている。当該布体の多端側には前記長手方向に所定の長さに渡って延びる複数層の布体重ね合わせ部が形成されている。布体単層部前記長手方向に渡って延びる長さは、布体重ね合わせ部が前記長手方向に所定の長さに渡って延びる長さより短い。【選択図】図１
0003152038.tif 000002
【実用新案登録請求の範囲】
【請求項１】
一端から他端に向かって長手方向に延びる長尺の保温性を有する布体を、前記一端から前記他端に向かう途中で折り返して第一重ね合わせ部を形成し、これを前記一端から前記他端に向かって延びていた一段目に重ね合わせ、
前記第一重ね合わせ部が前記一端に向かう途中で折り返して第二重ね合わせ部を形成し、これを前記第一重ね合わせ部に重ね合わせることにより、前記布体の前記他端側に前記他端から前記一端に向かう前記長手方向に所定の長さに渡って延びる複数層の布体重ね合わせ部を形成すると共に、
前記布体の前記一端側に前記一段目のみからなり、前記複数層の布体重ね合わせ部が前記長手方向に渡って延びる所定の長さより短い間隔で前記一端から前記長手方向に延びる布体単層部が形成されている
ことを特徴とする掛寝具。
【請求項２】
一端から他端に向かって長手方向に延びる矩形の保温性を有する一段目の布体の上に、当該一段目の布体の前記他端から前記一端に向かって前記長手方向の所定の長さに延びる範囲を上側から覆うように保温性を有する第一の上掛け布体を積層し、
引き続き、前記第一の上掛け布体を上側から覆うように保温性を有する第二の上掛け布体を積層することにより、前記布体の前記他端側に前記他端から前記一端に向かう前記長手方向に所定の長さに渡って延びる複数層の布体重ね合わせ部を形成すると共に、
前記布体の前記一端側に前記一段目の布体のみからなり、前記複数層の布体重ね合わせ部が前記長手方向に渡って延びる所定の長さより短い間隔で前記一端から前記長手方向に延びる布体単層部が形成されている
ことを特徴とする掛寝具。
【請求項３】
保温性を有する矩形で同じ大きさの複数枚の布体を積層し、当該積層された複数枚の布体の周縁を留め合わせてなる掛寝具。
【請求項４】
保温性を有する矩形で同じ大きさの複数枚の布体を積層し、当該積層された複数枚の布体の周縁を留め合わせてなる第一の掛寝具と、
保温性を有する矩形で、前記第一の掛寝具を形成している複数枚の布体と同じ大きさの複数枚の布体を積層し、当該積層された複数枚の布体の周縁を留め合わせてなる第二の掛寝具と
を積層してなる掛寝具であって、
前記第一の掛寝具を構成している前記矩形の保温性を有する布体の積層枚数と、前記第二の掛寝具を構成している前記矩形の保温性を有する布体の積層枚数とが同一、あるいは互いに相違している
ことを特徴とする掛寝具。
【請求項５】
保温性を有する矩形で同じ大きさの複数枚の布体を積層し、当該積層された複数枚の布体の周縁を留め合わせてなる掛寝具が、
保温性を有する布体から形成されていて、開口している一端から開口しれている他端に向かって長手方向に延びる矩形の掛け袋の中に挿入されている
ことを特徴とする掛寝具。
【請求項６】
一端から他端に向かって長手方向に延びる矩形の保温性を有する下側布の上に、当該下側布の前記他端から前記一端に向かって前記長手方向の所定の長さに延び、前記長手方向の長さが前記下側布の長手方向の長さより短い矩形の保温性を有する上側布を一枚乃至複数枚積層し、
前記一枚乃至複数枚の上側布の周縁の中で少なくとも前記下側布の周縁に対向する位置になる前記上側布の周縁と、前記下側布の周縁とを留め合わせることにより、
前記下側布の前記一端側に前記下側布のみからなり、前記上側布が前記長手方向に渡って延びる所定の長さより短い間隔で前記一端から前記長手方向に延びる布体単層部を形成し、
前記下側布の前記他端側の上側に、前記一枚乃至複数枚の上側布が積層されている布体積層部が形成されている
ことを特徴とする掛寝具。
【考案の詳細な説明】
【技術分野】
【０００１】  この考案は、掛寝具に関し、特に、掛寝具を掛けて寝ている人の首もとを保温することに適した掛寝具に関する。
【背景技術】
【０００２】  従来から、掛け蒲団と共に使用されて、寝ている人の首もとを保温することに適した掛寝具に関しては種々の提案が行なわれている（例えば、特許文献１）。
【先行技術文献】
【特許文献】
【特許文献１】実用新案登録第３０４１６４４号公報
【考案の概要】
【考案が解決しようとする課題】
【０００３】  近年、フリース製の布体のように、保温性を有し、軽くて取扱性に優れ、しかも低価格で提供される保温性を有する布体が広く市場に提供されている。【０００４】  この考案は、フリース製の布体に代表される保温性を有し、軽くて取扱性に優れ、しかも低価格で提供される保温性を有する布体を用い、低コストで、簡単に製造することができ、使い勝手が良く、取扱い性にも優れていて、寝ている人の首周りを保温することに適した掛寝具を提供することを目的にしている。
【課題を解決するための手段】
【０００５】  前記目的を達成するため本願は以下の考案を提案するものである。【０００６】  請求項１記載の考案は、
一端から他端に向かって長手方向に延びる長尺の保温性を有する布体を、前記一端から前記他端に向かう途中で折り返して第一重ね合わせ部を形成し、これを前記一端から前記他端に向かって延びていた一段目に重ね合わせ、
前記第一重ね合わせ部が前記一端に向かう途中で折り返して第二重ね合わせ部を形成し、これを前記第一重ね合わせ部に重ね合わせることにより、前記布体の前記他端側に前記他端から前記一端に向かう前記長手方向に所定の長さに渡って延びる複数層の布体重ね合わせ部を形成すると共に、
前記布体の前記一端側に前記一段目のみからなり、前記複数層の布体重ね合わせ部が前記長手方向に渡って延びる所定の長さより短い間隔で前記一端から前記長手方向に延びる布体単層部が形成されている
ことを特徴とする掛寝具
である。【０００７】  請求項２記載の考案は、
一端から他端に向かって長手方向に延びる矩形の保温性を有する一段目の布体の上に、当該一段目の布体の前記他端から前記一端に向かって前記長手方向の所定の長さに延びる範囲を上側から覆うように保温性を有する第一の上掛け布体を積層し、
引き続き、前記第一の上掛け布体を上側から覆うように保温性を有する第二の上掛け布体を積層することにより、前記布体の前記他端側に前記他端から前記一端に向かう前記長手方向に所定の長さに渡って延びる複数層の布体重ね合わせ部を形成すると共に、
前記布体の前記一端側に前記一段目の布体のみからなり、前記複数層の布体重ね合わせ部が前記長手方向に渡って延びる所定の長さより短い間隔で前記一端から前記長手方向に延びる布体単層部が形成されている
ことを特徴とする掛寝具
である。【０００８】  請求項３記載の考案は、
保温性を有する矩形で同じ大きさの複数枚の布体を積層し、当該積層された複数枚の布体の周縁を留め合わせてなる掛寝具
である。【０００９】  請求項４記載の考案は、
保温性を有する矩形で同じ大きさの複数枚の布体を積層し、当該積層された複数枚の布体の周縁を留め合わせてなる第一の掛寝具と、
保温性を有する矩形で、前記第一の掛寝具を形成している複数枚の布体と同じ大きさの複数枚の布体を積層し、当該積層された複数枚の布体の周縁を留め合わせてなる第二の掛寝具と
を積層してなる掛寝具であって、
前記第一の掛寝具を構成している前記矩形の保温性を有する布体の積層枚数と、前記第二の掛寝具を構成している前記矩形の保温性を有する布体の積層枚数とが同一、あるいは互いに相違している
ことを特徴とする掛寝具
である。【００１０】  請求項５記載の考案は、
保温性を有する矩形で同じ大きさの複数枚の布体を積層し、当該積層された複数枚の布体の周縁を留め合わせてなる掛寝具が、
保温性を有する布体から形成されていて、開口している一端から開口している他端に向かって長手方向に延びる矩形の掛け袋の中に挿入されている
ことを特徴とする掛寝具
である。【００１１】  請求項６記載の考案は、
一端から他端に向かって長手方向に延びる矩形の保温性を有する下側布の上に、当該下側布の前記他端から前記一端に向かって前記長手方向の所定の長さに延び、前記長手方向の長さが前記下側布の長手方向の長さより短い矩形の保温性を有する上側布を一枚乃至複数枚積層し、
前記一枚乃至複数枚の上側布の周縁の中で少なくとも前記下側布の周縁に対向する位置になる前記上側布の周縁と、前記下側布の周縁とを留め合わせることにより、
前記下側布の前記一端側に前記下側布のみからなり、前記上側布が前記長手方向に渡って延びる所定の長さより短い間隔で前記一端から前記長手方向に延びる布体単層部を形成し、
前記下側布の前記他端側の上側に、前記一枚乃至複数枚の上側布が積層されている布体積層部が形成されている
ことを特徴とする掛寝具
である。
【考案の効果】
【００１２】  この考案によれば、フリース製の布体に代表される保温性を有し、軽くて取扱性に優れ、しかも低価格で提供される保温性を有する布体を用い、低コストで、簡単に製造することができ、使い勝手が良く、取扱い性にも優れていて、寝ている人の首周りを保温することに適した掛寝具を提供することができる。
【図面の簡単な説明】
【００１３】
【図１】（ａ）本考案の掛寝具の第一の実施例を説明する平面図、（ｂ）図１（ａ）図示の掛寝具の断面図、（ｃ）図１（ａ）図示の掛寝具の使用状態の一例を説明する断面図。
【図２】（ａ）本考案の掛寝具の第二の実施例を説明する平面図、（ｂ）図２（ａ）図示の掛寝具の断面図、（ｃ）図２（ａ）図示の掛寝具の使用状態の一例を説明する断面図。
【図３】（ａ）本考案の掛寝具の第三の実施例を説明する平面図、（ｂ）図３（ａ）図示の掛寝具の一実施形態を説明する断面図、（ｃ）図３（ａ）図示の掛寝具の他の実施形態を説明する断面図。
【図４】（ａ）本考案の掛寝具の第六の実施例を説明する平面図、（ｂ）図４（ａ）図示の掛寝具の一実施形態を説明する断面図、（ｃ）図４（ａ）図示の掛寝具の他の実施形態を説明する断面図。
【図５】（ａ）本考案の掛寝具の第四の実施例を説明する斜視図、（ｂ）図５（ａ）図示の掛寝具の一実施形態における第一の掛寝具の一部を省略した断面図、（ｃ）図５（ａ）図示の掛寝具の一実施形態における第二の掛寝具の一部を省略した断面図、（ｄ）図５（ａ）図示の掛寝具の他の実施形態における第一の掛寝具の一部を省略した断面図、（ｅ）図５（ａ）図示の掛寝具の他の実施形態における第二の掛寝具の一部を省略した断面図。
【図６】本考案の掛寝具の第五の実施例を説明する斜視図。
【考案を実施するための形態】
【００１４】  以下、添付図面を参照して本考案の好ましい実施例を説明する。
【実施例１】
【００１５】  図１（ａ）、（ｂ）図示のこの考案の掛寝具１は、一端（図１（ａ）、（ｂ）中、左端）から他端（図１（ａ）、（ｂ）中、右端）に向かって長手方向に延びる長尺の保温性を有する布体２からなるものである。布体２は、例えば、フリース製である。【００１６】  布体２が一端（図１（ａ）、（ｂ）中、左端）から他端（図１（ａ）、（ｂ）中、右端）に向かう途中で折り返して第一重ね合わせ部２ａが形成される。そして、第一重ね合わせ部２ａが、一端（図１（ａ）、（ｂ）中、左端）から他端（図１（ａ）、（ｂ）中、右端）に向かって延びていた一段目に重ね合わせられる。【００１７】  第一重ね合わせ部２ａが一端（図１（ａ）、（ｂ）中、左端）に向かう途中で折り返して第二重ね合わせ部２ｂが形成される。そして、第二重ね合わせ部２ｂが第一重ね合わせ部２ａに重ね合わせる。【００１８】  こうして、布体２の他端側（図１（ａ）、（ｂ）中、右端側）に他端（図１（ａ）、（ｂ）中、右端）から一端（図１（ａ）、（ｂ）中、左端）に向かう長手方向に所定の長さに渡って延びる複数層の布体重ね合わせ部が図１（ｂ）図示のように形成される。【００１９】  一方、布体２の一端側（図１（ａ）、（ｂ）中、左端側）には、図１（ｂ）図示のように、一段目のみからなり、複数層の布体重ね合わせ部が長手方向に渡って延びる所定の長さより短い間隔で一端（図１（ａ）、（ｂ）中、左端）から長手方向に延びる布体単層部２０が形成される。【００２０】  図１（ｂ）図示のように布体２の他端側（図１（ａ）、（ｂ）中、右端側）に、他端（図１（ａ）、（ｂ）中、右端）から一端（図１（ａ）、（ｂ）中、左端）に向かう長手方向に所定の長さに渡って延びて形成される複数層の布体重ね合わせ部は、この重ね合わせた部分に空気層が形成され、優れた保温効果を発揮することができる。【００２１】  図１（ｂ）図示の実施形態では、第三重ね合わせ部２ｃも形成され、これが第二重ね合わせ部２ｂに重ね合わせられて四層の布体重ね合わせ部が形成されているが、第一重ね合わせ部２ａが形成されるのみの二層の布体重ね合わせ部、第一重ね合わせ部２ａと第二重ね合わせ部２ｂとが形成される三層の布体重ね合わせ部にすることもできる。【００２２】  重ね合わせる枚数を変化させることによって保温効果を変化させ、掛寝具１単独で使用したり、図１（ｃ）図示のように、掛寝具１の上に他の掛寝具３を更に掛けて使用することなどができる。【００２３】  一方、布体２の一端側（図１（ａ）、（ｂ）中、左端側）に形成されている布体単層部２０は、掛寝具１を使用している人の肩口から冷気が侵入することを防ぐ効果を発揮し、掛寝具１による保温効果を高めることができる。【００２４】  このように、掛寝具１は、簡単な構造からなり、長尺の保温性を有する布体２からだけで、簡単かつ低コストにて提供することができる。
【実施例２】
【００２５】  図２（ａ）、（ｂ）図示のこの考案の掛寝具４は次のように形成されている。【００２６】  一端（図２（ａ）、（ｂ）中、左端）から他端（図２（ａ）、（ｂ）中、右端）に向かって長手方向に延びる矩形の保温性を有する一段目の布体５の上に、一段目の布体５の他端（図２（ａ）、（ｂ）中、右端）から一端（図２（ａ）、（ｂ）中、左端）に向かって長手方向の所定の長さに延びる範囲を上側から覆うように保温性を有する第一の上掛け布体６ａが積層される。【００２７】  第一の上掛け布体６ａを上側から覆うように保温性を有する第二の上掛け布体６ｂを積層することにより、布体５の他端側（図２（ａ）、（ｂ）中、右端側）に他端（図２（ａ）、（ｂ）中、右端）から一端（図２（ａ）、（ｂ）中、左端）に向かう長手方向に所定の長さに渡って延びる複数層の布体重ね合わせ部が図２（ｂ）図示のように形成される。【００２８】  一方、布体５の一端側（図２（ａ）、（ｂ）中、左端側）に一段目の布体５のみからなり、複数層の布体重ね合わせ部が長手方向に渡って延びる所定の長さより短い間隔で一端（図２（ａ）、（ｂ）中、左端）から長手方向に延びる布体単層部２１が形成される。【００２９】  図２（ｂ）図示のように布体５の他端側（図２（ａ）、（ｂ）中、右端側）に、他端（図２（ａ）、（ｂ）中、右端）から一端（図２（ａ）、（ｂ）中、左端）に向かう長手方向に所定の長さに渡って延びて形成される複数層の布体重ね合わせ部は、この重ね合わせた部分に空気層が形成され、優れた保温効果を発揮することができる。【００３０】  図２（ｂ）図示の実施形態では、第二の上掛け布体６ｂの上に第三の上掛け布体６ｃが積層され四層の布体重ね合わせ部が形成されているが、第一の上掛け布体６ａが一段目の布体５の上に積層されるのみの二層の布体重ね合わせ部、第一の上掛け布体６ａと第二の上掛け布体６ｂとが積層される三層の布体重ね合わせ部にすることもできる。【００３１】  重ね合わせる枚数を変化させることによって保温効果を変化させ、掛寝具４単独で使用したり、図２（ｃ）図示のように、掛寝具４の上に他の掛寝具３を更に掛けて使用することなどができる。【００３２】  一方、布体５の一端側（図２（ａ）、（ｂ）中、左端側）に形成されている布体単層部２１は、掛寝具４を使用している人の肩口から冷気が侵入することを防ぐ効果を発揮し、掛寝具４による保温効果を高めることができる。【００３３】  一段目の布体５、第一の上掛け布体６ａ、第二の上掛け布体６ｂ、第三の上掛け布体６ｃはいずれも保温性を有する布体、例えば、フリース製である。【００３４】  このように、掛寝具４は、簡単な構造からなり、一段目の布体５、第一の上掛け布体６ａ、第二の上掛け布体６ｂ、第三の上掛け布体６ｃなどだけで、簡単かつ低コストにて提供することができる。
【実施例３】
【００３５】  図３（ａ）、（ｂ）、（ｃ）図示のこの考案の掛寝具７は次のように形成されている。【００３６】  保温性を有する矩形で同じ大きさの複数枚の布体（図３（ｃ）図示の実施形態では上側布８と下側布９）を積層し、当該積層された複数枚の布体（図３（ｃ）図示の実施形態では上側布８と下側布９）の周縁を留め合わせてなる掛寝具である。【００３７】  ここで、周縁を留め合わせるのは、例えば、符号１０で示すように面ファスナーなどを用いたり、ボタン止めなどを利用して所定の複数個所で留め合わせることができる。【００３８】  図３（ｃ）図示の実施形態では、保温性を有する矩形で同じ大きさの上側布８と下側布９とを積層し二層にしているが、保温性を有する矩形で同じ大きさの布体を更に積層し、三層、四層などにすることもできる。【００３９】  周縁を留め合わせるのを、符号１０で示すように面ファスナーなどを用いたり、ボタン止めなどを利用して所定の複数個所で留め合わせる携帯にしていることにより、季節、気温などに応じて、積層枚数を適宜変更できる。【００４０】  図３（ｂ）図示の実施形態は、掛寝具７の他の実施形態を説明するものである。【００４１】  矩形の保温性を有する上側布８と下側布９との間に、上側布８及び下側布９と同じ大きさの矩形の保温性を有する複数枚の布体１１ａ、１１ｂ、１１ｃを積層して中間布体層を形成する。【００４２】  上側布８、中間布体層を形成する複数枚の布体１１ａ、１１ｂ、１１ｃ及び、下側布９の周縁を留め合わせることにより、上側布８と下側布９との間に中間布体層を保持する。【００４３】  上側布８、中間布体層を形成する複数枚の布体１１ａ、１１ｂ、１１ｃ及び、下側布９の周縁を留め合わせるのは、例えば、符号１０で示すように面ファスナーなどを用いたり、ボタン止めなどを利用して所定の複数個所で留め合わせることができる。【００４４】  上側布８、下側布９、中間布体層を形成する複数枚の布体１１ａ、１１ｂ、１１ｃはいずれも保温性を有する布体、例えば、フリース製である。【００４５】  周縁が留め合わせられている上側布８、下側布９との間に中間布体層が保持されているので、中間布体層を形成する複数枚の布体１１ａ、１１ｂ、１１ｃの間や、周縁が留め合わせられている上側布８と下側布９との間に空気が貯えられ、保温性が高められる。【００４６】  このように、掛寝具７は、簡単な構造からなり、上側布８、下側布９、中間布体層を形成する複数枚の布体１１ａ、１１ｂ、１１ｃだけで、簡単かつ低コストにて提供することができる。
【実施例４】
【００４７】  図５（ａ）〜（ｅ）図示の掛寝具１７は前述した実施例３の掛寝具７を複数枚積層したものである。【００４８】  図５（ｄ）、（ｅ）図示のこの考案の掛寝具１７は次のように形成されている。【００４９】  保温性を有する矩形で同じ大きさの複数枚の布体（図５（ｄ）図示の実施形態では、第一の上側布８ａと第一の下側布９ａ）を積層し、当該積層された複数枚の布体図５（ｄ）図示の実施形態では、第一の上側布８ａと第一の下側布９ａ）の周縁を留め合わせ第一の掛寝具７ａを構成する。【００５０】  ここで、周縁を留め合わせるのは、例えば、符号１０ａ（図５（ａ））で示すように面ファスナーなどを用いたり、ボタン止めなどを利用して所定の複数個所で留め合わせることができる。【００５１】  保温性を有する矩形で、前記第一の掛寝具７ａを形成している複数枚の布体と同じ大きさの複数枚の布体（図５（ｅ）図示の実施形態では、第二の上側布８ｂと第二の下側布９ｂ）を積層し、当該積層された複数枚の布体（図５（ｅ）図示の実施形態では、第二の上側布８ｂと第二の下側布９ｂ）の周縁を留め合わせて第二の掛寝具ｂを構成する。【００５２】  ここで、周縁を留め合わせるのは、例えば、符号１０ｂ（図５（ａ））で示すように面ファスナーなどを用いたり、ボタン止めなどを利用して所定の複数個所で留め合わせることができる。【００５３】  前記のようにして構成した第一の掛寝具７ａと第二の掛寝具ｂとを積層して掛寝具１７とするものである。【００５４】  なお、図５（ｄ）、図５（ｅ）図示のように、第一の掛寝具７ａを構成している複数枚の布体の積層枚数と、第二の掛寝具７ｂを構成している複数枚の布体の積層枚数とは同一にすることができるし、図示していないが、互いに相違しているようにすることもできる。【００５５】  第一の掛寝具７ａ、第二の掛寝具ｂとも、周縁を留め合わせるのを、符号１０ａ（図５（ａ））で示すように面ファスナーなどを用いたり、ボタン止めなどを利用して所定の複数個所で留め合わせる携帯にしていることにより、季節、気温などに応じて、積層枚数を適宜変更できる。そして、第一の掛寝具７ａを構成している複数枚の布体の積層枚数と、第二の掛寝具７ｂを構成している複数枚の布体の積層枚数を同一にしたり、互いに相違しているようにして、簡単に、季節、気温などに対応できる。【００５６】  図５（ｂ）、（ｃ）図示の実施形態は、掛寝具１７の他の実施形態を説明するものである。【００５７】  矩形の保温性を有する第一の上側布８ａと第一の下側布９ａとの間に、第一の上側布８ａ及び第一の下側布９ａと同じ大きさの矩形の保温性を有する複数枚の布体１１ａ、１１ｂ、１１ｃを積層して第一の中間布体層が形成されている。第一の上側布８ａ、第一の中間布体層を形成する複数枚の布体１１ａ、１１ｂ、１１ｃ及び第一の下側布９ａの周縁を符号１０ａで示すように、面ファスナーやボタンなどで留め合わせることにより、第一の上側布８ａと第一の下側布９ａとの間に第一の中間布体層が保持されている第一の掛寝具７ａが形成される。【００５８】  第一の上側布８ａ及び第一の下側布９ａに等しい大きさで矩形の保温性を有する第二の上側布８ｂと第二の下側布９ｂとの間に、第二の上側布８ｂ及び第二の下側布９ｂと大きさが同じ矩形の保温性を有する複数枚の布体１１ａ、１１ｂを積層して第二の中間布体層が形成されている。第二の上側布８ｂ、第二の中間布体層を形成する複数枚の布体１１ａ、１１ｂ及び、第二の下側布９ｂの周縁を符号１０ｂで示すように、面ファスナーやボタンなどで留め合わせることにより、第二の上側布８ｂと第二の下側布９ｂとの間に第二の中間布体層が保持されている第二の掛寝具７ｂが形成される。【００５９】  第一の上側布８ａ、第一の下側布９ａ、第二の上側布８ｂ、第二の下側布９ｂ、第一の中間布体層・第二の中間布体層を形成する複数枚の布体１１ａ、１１ｂ、１１ｃなどはいずれも保温性を有する布体、例えば、フリース製である。【００６０】  周縁が留め合わせられている第一の上側布８ａ、第一の下側布９ａ、第二の上側布８ｂ、第二の下側布９ｂの間に第一の中間布体層・第二の中間布体層が保持されているので、これらを形成する複数枚の布体１１ａ、１１ｂ、１１ｃの間や、周縁が留め合わせられている第一の上側布８ａ、第一の下側布９ａ、第二の上側布８ｂ、第二の下側布９ｂとの間に空気が貯えられ、保温性が高められる。【００６１】  このように、掛寝具１７は、簡単な構造からなり、第一の上側布８ａ、第一の下側布９ａ、第二の上側布８ｂ、第二の下側布９ｂ、第一の中間布体層・第二の中間布体層を形成する複数枚の布体１１ａ、１１ｂ、１１ｃだけで、簡単かつ低コストにて提供することができる。【００６２】  なお、図示の実施形態では、第一の掛寝具７ａにおける第一の中間布体層は３枚の布体１１ａ、１１ｂ、１１ｃで形成され、第二の掛寝具７ｂにおける第二の中間布体層は２枚の布体１１ａ、１１ｂで形成されているが、これは使用形態・用途に応じて、同一の枚数にしたり、互いに異なる枚数にすることができる。こうして、気候に応じて、積層枚数を変更して対応することができる。
【実施例５】
【００６３】  図６図示のこの考案の掛寝具１８は次のように形成されている。【００６４】  図６図示の掛寝具１８は前述した実施例３の掛寝具７が保温性を有する布体から形成されていて、開口している一端２０ａから、開口している他端２０ｂに向かって長手方向に延びる矩形の掛け袋１９の中に挿入されているものである。【００６５】  掛け袋１９の開口している一端２０ａから掛寝具７の一端７ｃを先頭にして掛寝具７を掛け袋１９の中に挿入すると共に、掛け袋１９の開口している他端２０ｂから手を入れて、掛寝具７の一端７ｃを掴み、矢印３０方向に引いて、掛寝具７を掛け袋１９内に挿入する。【００６６】  図３を用いて説明した実施例３で説明した部分と同一の部分居は共通する符号を付けてその説明を省略する。【００６７】  保温性を有する布体から形成されている掛け袋１９はフリース製にすることができる。【００６８】  掛寝具１８によれば、実施例３の掛寝具７で説明した効果に加えて、保温性を有する掛け袋１９内に掛寝具７を挿入しておくことにより保温効果を一層高めることができる。【００６９】  また、掛け袋１９と、掛寝具７とはそれぞれ別々に洗濯を行うことができる。
【実施例６】
【００７０】  図４（ａ）、（ｂ）、（ｃ）図示の掛寝具１２は前述した実施例３の掛寝具７が実施例１で説明した布体単層部２０、実施例２で説明した布体単層部２１を備えている効果を合わせて発揮できるものである。【００７１】  図４（ａ）、（ｃ）図示のこの考案の掛寝具１２は次のように形成されている。
一端から他端に向かって長手方向に延びる矩形の保温性を有する下側布１３の上に、上側布１４が一枚乃至複数枚積層されている。図４（ｃ）図示の実施形態では、一枚の上側布１４が、一端から他端に向かって長手方向に延びる矩形の保温性を有する下側布１３の上に積層されている。【００７２】  上側布１４は、下側布１３の前記他端（図４（ｃ）中、右端）から前記一端（図４（ｃ）中、左端）に向かって前記長手方向（図４における左右方向）の所定の長さに延び、前記長手方向の長さが下側布１３の長手方向（図４における左右方向）の長さより短い矩形の保温性を有する布体である。【００７３】  上側布１４の周縁の中で少なくとも下側布１３の周縁に対向する位置になる上側布１４の周縁と、下側布１３の周縁とを留め合わせる。【００７４】  ここで、周縁を留め合わせるのは、例えば、符号１５で示すように面ファスナーなどを用いたり、ボタン止めなどを利用して所定の複数個所で留め合わせることができる。【００７５】  こうして、下側布１３の前記一端側（図４（ｃ）中、左端側）に下側布１３のみからなり、上側布１４が前記長手方向（図４における左右方向）に渡って延びる所定の長さより短い間隔で前記一端（図４（ｃ）中、左端）から前記長手方向（図４における左右方向）に延びる布体単層部２２が形成される。【００７６】  一方、前記下側布１３の前記他端側（図４（ｃ）中、右端側）の上側に、上側布１４が積層されている布体積層部が形成されている。【００７７】  ここで、上側布１４の周縁の中で少なくとも下側布１３の周縁に対向する位置になる上側布１４の周縁と、下側布１３の周縁との留め合わせは、符号１５で示すように面ファスナーなどを用いたり、ボタン止めなどを利用して所定の複数個所で行うことができるものであり、季節、気温などに応じて積層枚数を簡単に調整することができる。【００７８】  一方、布体単層部２２は掛寝具１２を使用している人の首もとにあてて、就寝している人の首元の保温を図ることができる。【００７９】  図４（ｂ）図示のこの考案の掛寝具１２は次のように形成されている。【００８０】  一端（図４（ａ）、（ｂ）中、左端）から他端（図４（ａ）、（ｂ）中、右端）に向かって長手方向に延びる矩形の保温性を有する下側布１３と、下側布１３の他端（図４（ａ）、（ｂ）中、右端）から一端（図４（ａ）、（ｂ）中、左端）に向かって長手方向の所定の長さに延び、長手方向の長さが下側布１３の長手方向の長さより短い矩形の保温性を有する上側布１４との間に、上側布１４と大きさが同じの矩形の保温性を有する複数枚の布体１６ａ、１６ｂ、１６ｃが積層されて中間布体層が形成されている。【００８１】  上側布１４の周縁の中で少なくとも下側布１３の周縁に対向する位置になる上側布１４の周縁と、中間布体層を形成する複数枚の布体１６ａ、１６ｂ、１６ｃの対応する位置にある周縁と、下側布１３の周縁とが、符号１５で示すように、面ファスナーやボタンなどで留め合わせられる。これによって、上側布１４と下側布１３との間に中間布体層を保持する。【００８２】  これによって、前述した実施例３の掛寝具７によって発揮される作用・効果を発揮させることができる。【００８３】  なお、図示の実施形態では、上側布１４の図中、左側端の周縁も下側布１３に留め合わせているが、ここを留めずに開口させておいて、中間布体層を装脱可能にすることもできる。【００８４】  図４（ａ）、（ｂ）図示のように、下側布１３の一端側（図４（ａ）、（ｂ）中、左端側）に下側布１３のみからなり、上側布１４が長手方向に渡って延びる所定の長さより短い間隔で一端（図４（ａ）、（ｂ）中、左端）から長手方向に延びる布体単層部２２が形成されている。【００８５】  これによって、実施例１で説明した布体単層部２０、実施例２で説明した布体単層部２１を備えている効果を発揮させることができる。
【符号の説明】
【００８６】１  掛寝具
２  布体
２ａ  第一重ね合わせ部
２ｂ  第二重ね合わせ部
２ｃ  第三重ね合わせ部
３  他の掛寝具
４  掛寝具
５  一段目の布体
６ａ  第一の上掛け布体
６ｂ  第二の上掛け布体
６ｃ  第三の上掛け布体
７  掛寝具
７ａ  第一の掛寝具
７ｂ  第二の掛寝具
８  上側布
８ａ  第一の上側布
８ｂ  第二の上側布
９  下側布
９ａ  第一の下側布
９ｂ  第二の下側布
１１ａ、１１ｂ、１１ｃ  布体
１２  掛寝具
１３  下側布
１４  上側布
１６ａ、１６ｂ、１６ｃ  布体
１７  掛寝具
１８  掛寝具
１９  掛け袋
２０  布体単層部
２０ａ  開口している一端
２１  布体単層部
２２  布体単層部
【図１】
0003152038.tif 000003
【図２】
0003152038.tif 000004
【図３】
0003152038.tif 000005
【図４】
0003152038.tif 000006
【図５】
0003152038.tif 000007
【図６】
0003152038.tif 000008